(57)【要約】【課題】オリジナルの実技シーンと同条件で撮影した画像を簡便に獲得可能とする、スペクトル画像露光方法を提供すること。【解決手段】マルチバンド形成用フィルターを介して被写体のスペクトル画像データを取得し、取得したスペクトル画像データを用いて、各バンドでの被写体の分光強度に応じて複数枚の白黒感光材料に露光し、露光した前記白黒感光材料を現像して、オリジナルのスペクトル画像に対応した複数枚の白黒画像を作製し、これらの複数枚の画像を、１枚の観察用の感光材料に、それぞれの画像の撮影に用いた波長域の光を用いて重ね露光することを特徴とするスペクトル画像の露光方法である。【選択図】図１
2004118045.tif 000002
【特許請求の範囲】
【請求項１】
マルチバンド撮像装置を用いて取得した被写体のスペクトル画像を、感光材料上に忠実に再現するためのスペクトル画像露光方法であって、
マルチバンド形成用フィルターを介して被写体のスペクトル画像データを取得し、
取得したスペクトル画像データを用いて、各バンドでの被写体の分光強度に応じて複数枚の白黒感光材料に露光し、
露光した前記白黒感光材料を現像して、オリジナルのスペクトル画像の各波長域での光量の強度に対応した複数枚の白黒画像を作製し、
これらの複数枚の画像を、１枚の観察用の感光材料に、それぞれの画像の撮影に用いた波長域の光を用いて重ね露光する
ことを特徴とするスペクトル画像露光方法。
【発明の詳細な説明】
【０００１】
【発明の属する技術分野】
本発明は、スペクトル画像を利用した露光方法に関し、より具体的には、例えば５ｎｍ間隔というように細かな間隔で獲得したスペクトル画像データを用いて、被写体（オリジナルシーン）を忠実に再現可能とするスペクトル画像露光方法に関する。
【０００２】
【従来の技術】
スペクトル画像は、オリジナルシーンのデータを分光的に保存しているので、オリジナルシーンの情報をかなり忠実に保存している。従って、スペクトル画像データの利用方法としては、オリジナルシーンのデータベースとして利用することが挙げられる。
【０００３】
【発明が解決しようとする課題】
しかし、スペクトル画像は、分光的にデータを保存しているとはいっても、従来は、そのデータを用いてそのまま分光的な露光が行える機器があるわけではなかったので、スペクトル画像データに何らかの情報を付与して、例えばＢＧＲ３色のデータ等に縮退した後、ＢＧＲ３波長のレーザ露光機等を用いての露光により、画像サンプルを得ていた。
【０００４】
従って、上述の方法では、撮像装置の分光感度データ等の情報を付与する必要があり、そのデータを獲得するまでは画像サンプルを得ることができず、スペクトル画像データが有効に利用されているとはいえなかった。
【０００５】
本発明は、上記事情に鑑みてなされたもので、その目的とするところは、従来の技術における上述のような問題を解消し、撮像した画像を、オリジナルの実技シーンと同条件で簡便に獲得することを可能とする、スペクトル画像露光方法を提供することにある。
【０００６】
【課題を解決するための手段】
上記目的を達成するため、本発明に係るスペクトル画像露光方法は、マルチバンド撮像装置を用いて取得した被写体のスペクトル画像を、感光材料上に忠実に再現するためのスペクトル画像露光方法であって、マルチバンド形成用フィルターを介して被写体のスペクトル画像データを取得し、取得したスペクトル画像データを用いて、各バンドでの被写体の分光強度に応じて複数枚の白黒感光材料に露光し、露光した前記白黒感光材料を現像して、オリジナルのスペクトル画像の各波長域での光量の強度に対応した複数枚の白黒画像を作製し、これらの複数枚の画像を、１枚の観察用の感光材料に、それぞれの画像の撮影に用いた波長域の光を用いて重ね露光することを特徴とする。
【０００７】
ここで、本発明に係るスペクトル画像露光方法においては、前記マルチバンド形成用フィルターによる撮影では、少なくとも６枚以上のスペクトル画像を撮影することが好ましい。
【０００８】
また、本発明に係るスペクトル画像露光方法においては、前記マルチバンド形成用フィルターとして、液晶チューナブルフィルターを用いることが有効であるが、本発明はこれに限定されるものではなく、狭帯域が得られる２色種以上のシャープカット色素フィルターの組み合わせなども好適に用い得る。
【０００９】
また、本発明に係るスペクトル画像露光方法においては、前記オリジナルのスペクトル画像に対応した複数枚の白黒画像を、１枚の観察用の感光材料（カラー感光材料など）に、それぞれの画像の撮影に用いた波長域の光を用いて重ね露光するに際して、任意分光露光機を用いることを特徴とする。
【００１０】
【発明の実施の形態】
以下、添付の図面に基づいて、本発明の実施の形態を詳細に説明する。
【００１１】
図１は、本発明の一実施形態に係るスペクトル画像露光方法の手順を説明するフローチャートである。また、図２は、この手順により作製される画像を、模式的に示す図である。
【００１２】
ステップ１０：スペクトル画像データの取得
オリジナルとなるスペクトル画像データを、ここでは一例として、３８０ｎｍ〜７８０ｎｍの間を５ｎｍ間隔で８１個のバンドに区切り、合計８１枚分のスペクトル画像データを取得（マルチスペクトル撮像）する。図２に、符号２１〜２６として、そのスペクトル画像データを模式的に示した。
【００１３】
なお、ここで、マルチスペクトル撮影を行う際に用いるマルチバンド形成用のフィルターとしては、前述のように、液晶チューナブルフィルターが好適に用い得るが、本発明はこれに限定されるものではなく、狭帯域が得られる２色種以上のシャープカット色素フィルターの組み合わせなども好適に用い得る。
【００１４】
また、ここでは、前述の８１枚の画像データのうちの６枚のみを用いることとしているが、このように一部の画像データの選択して用いる場合には、通常は、波長域の任意のスペクトルデータの再現性が平均的に優れていると考えられる正規分布に沿って選択するというようなことでよい。
【００１５】
また、例えば、絵画調の画像を対象とするような場合には、その対象物に使用されている色材の特性等に合致するようにバンド位置並びにバンド数を決定するなど、対象とするオリジナルシーンの状況に合わせてバンド位置並びにバンド数を設定するのがよい。
【００１６】
ステップ１２：画像データの白黒フィルムへの露光
ステップ１０で取得した８１枚分の被写体のスペクトル画像データのうちの、上記６枚分について、各画像を、任意の波長域（バンド）の光を用いて、白黒フィルムに露光する。ここで用いる光は、上記６枚分の画像データの露光において、全て同じ波長域（バンド）の光でよい。
【００１７】
ステップ１４：白黒フィルム上の画像の顕像化
露光した白黒フィルムを現像し、画像を顕像化して、オリジナルのスペクトル画像データに対応した白黒画像を作製する。図２に、符号３１〜３６として、作製された白黒画像（ネガ画像）を模式的に示した。ここで用いる白黒フィルム並びにその現像液等は、通常の微粒子フィルム並びにそれに対応する現像液等を用いればよい。
【００１８】
ステップ１６：エネルギー強度の調整演算
サンプル的に採用した６つの波長域（バンド）の光の全エネルギーが、オリジナルシーンの持つエネルギーに等しくなるようにエネルギー強度の調整を行うため、例えば、下記のような形で演算を行う。
【００１９】
すなわち、上述の６つの波長域（バンド）をＰ１〜Ｐ６、この各バンドのエネルギー強度をａ１〜ａ６とするとき、
【数１】
2004118045.tif 000003
となるように、エネルギー強度ａ１〜ａ６を決定する。
【００２０】
なお、上記式（１）中のＦは、オリジナルシーンの持つ全エネルギーを示しており、本実施形態における８１の波長域（バンド）の各エネルギー強度の総和に等しいものである。すなわち、前述の８１個のバンドをそれぞれ、ｐ１，ｐ２，……，ｐ８１とすると、
Ｆ＝（ｐ１，ｐ２，……，ｐ８１）　　　　　　　　　　　……（２）
とベクトル表記される。
【００２１】
同じく、Ｐ１〜Ｐ６は、撮影した白黒フィルムに各バンドでの任意分光露光機のエネルギー分布（最大強度を１で規格化した）を掛け合わせたときに得られるエネルギー分布のベクトル表記になる。
【００２２】
ステップ１８：各画像を一枚のフィルムに重ね焼き
任意分光露光機４１を用いて、図２に３１〜３６で示されている合計６枚のネガ画像を、１枚の観察用のカラー感光材料（カラーフィルム）に、それぞれの画像が取得されたときの波長の光を用い、また、ステップ１６で演算したエネルギー強度で、順次重ね焼き（重ね露光）する。
【００２３】
ここでの重ね焼きに際しては、複数枚（ここでは、６枚）のネガ画像を正確に位置合わせして露光することが重要であるが、この位置合わせについては、各ネガ画像を担持する白黒フィルムにピン嵌合孔を設けて、この孔を、カラーフィルム支持部側に設けたピンに嵌合させる等の、公知の方式が適宜用い得る。
【００２４】
ここで、重ね露光に用いるカラー感光材料としては、通常のカラー撮影に使用されるカラーネガフィルム等が好適に用い得る。また、その現像処理についても通常のプロセスを、そのまま用いることができる。
【００２５】
上述の重ね露光は、オリジナルシーンのスペクトル分布にかなり忠実に対応した露光となることが、理解されよう。すなわち、本実施形態に係るスペクトル画像露光方法によって重ね露光された感光材料を現像（カラー現像）して得られるカラー画像５１は、その使用するバンド数にもよるが、一般的にいって、オリジナルシーンを、現在の３色分解方式のカラー写真により再現したものより、格段に忠実に再現したものとなる。
【００２６】
なお、上記実施形態は本発明の一例を示したものであり、本発明はこれに限定されるべきものではなく、本発明の要旨を逸脱しない範囲内において適宜の変更または改良を行ってもよいことはいうまでもない。
【００２７】
例えば、上記実施形態においては、オリジナルのスペクトル画像データを３８０ｎｍ〜７８０ｎｍの間を５ｎｍ間隔で区切って、８１個のバンドに対応する合計８１枚分のスペクトル画像データを取得しているが、このバンド幅並びにそれによって決まるスペクトル画像データの数は、必要に応じて任意に決定することが可能である。
【００２８】
また、前述の、ステップ１２における各画像のデータを白黒フィルムに露光する際に用いる光は、任意の波長域（バンド）の光を用いてよいが、鮮鋭度を維持するためには、短波長域の光を用いることが好ましい。
【００２９】
【発明の効果】
以上、詳細に説明したように、本発明によれば、撮像した画像を、オリジナルの実技シーンと同条件で、簡便な手順により獲得することを可能とする、スペクトル画像露光方法を実現できるという顕著な効果を奏するものである。
【００３０】
より具体的には、本発明においては、獲得したスペクトル画像データを、一旦フィルム上に画像として記録することで、多次元の画像データを簡単な手順により保持可能とし、これを組み合わせた形で再構成することによって、最終的な再現画像を得るようにしたので、上述のような効果が得られるものである。
【図面の簡単な説明】
【図１】本発明の一実施形態に係るスペクトル画像露光方法の手順を説明するフローチャートである。
【図２】図１に示した手順により作製される画像を、模式的に示す図である。
【符号の説明】
１０〜１８　処理手順
２１〜２６　スペクトル画像データ
３１〜３６　スペクトル画像データ（２１〜２６）に対応した白黒画像
４１　任意分光露光機
５１　再現されたカラーフィルム上の画像
【図１】
2004118045.tif 000004
【図２】
2004118045.tif 000005